(57)【要約】【課題】１個のスイッチで、光ピックアップがディスク媒体の内周に位置したことと、トレイの引き出しが完了したことを検出する。【解決手段】光ピックアップ２５がディスク媒体の内周に移動した際に、光ピックアップ２５を駆動するラック部材３７によって、スイッチ駆動部材２１を変位させて検出スイッチ４５の動作状態を切換え、さらに光ピックアップ２５が設けられたシャーシ１７をスライドカム４０によって昇降させると共に、このスライドカム４０のスライド動作で、光ピックアップ２５の駆動と、シャーシ１７の駆動と、トレイ１５の駆動がシーケンシャルに実行されるように制御し、トレイ１５の引き出し完了位置で、スライドカム４０をシーケンシャル動作制御とは異なる位置にスライドさせる手段を設け、検出スイッチ４５の動作状態を再度切換えるように構成した。【選択図】      図１１
2004178767.tif 000002
【特許請求の範囲】
【請求項１】
ディスク媒体が収容可能なディスク媒体収容部を有したトレイを、筐体から引き出された第１の位置と、前記筐体内の所定位置である第２の位置間で搬送移動させるトレイ駆動手段と、
シャーシと、
前記シャーシに設けられ、前記ディスク媒体を回転駆動させるディスク媒体駆動手段と、
前記シャーシに設けられ、前記ディスク媒体駆動手段で駆動されるディスク媒体から信号の読み取りを行なう光ピックアップを前記ディスクの径方向に移動させる光ピックアップ駆動手段と、
動作状態が切換えられるスイッチ手段と、
前記筐体に設けられ、所定方向にスライドするスライドカムを備え、当該スライドカムのスライドによって前記シャーシを、前記トレイによって前記筐体内の前記第２の位置に搬送されたディスク媒体を前記ディスク媒体駆動手段に装着する位置と、装着が解除される位置間で昇降させるシャーシ駆動手段と、
前記光ピックアップが所定位置に位置されたことによって前記スイッチ手段の動作状態を切換ると共に、前記トレイが前記第１の位置に位置したときに前記スイッチ手段の動作状態を切換えるスイッチ駆動手段と、
を具備したことを特徴とするディスクメディア機器の位置検出装置。
【請求項２】
さらに、前記トレイが前記第１の位置にあるときに、前記スライドカムを前記シャーシを前記ディスク媒体の装着を解除する方向にさらにスライドさせる手段を備え、
前記スイッチ駆動手段が、前記光ピックアップが前記所定位置に位置された際に当該光ピックアップによって変位されて前記スイッチ手段を一方の動作状態に切換え、前記トレイが第１の位置に位置するまで前記スライドカムによって前記スイッチ手段の動作状態を保持し、前記トレイが前記第１の位置に位置したときにスライドカムがスライドされることで変位されて前記スイッチ手段を他方の動作状態に切換えるものであることを特徴とする請求項１に記載のディスクメディア機器の位置検出装置。
【請求項３】
前記光ピックアップが前記ディスク媒体の径方向所定位置に位置された後、前記スライドカムのスライド位置に応じて、前記シャーシが前記ディスク媒体の前記ディスク媒体駆動手段への装着を解除する位置へ移動し、その後前記トレイが前記筐体から引き出されるように前記光ピックアップ駆動手段と前記シャーシ駆動手段と前記トレイ駆動手段とを連係させる連係手段を備えたことを特徴とする請求項１または２に記載のディスクメディア機器の位置検出装置。
【請求項４】
前記光ピックアップ駆動手段とシャーシ駆動手段とトレイ駆動手段は単一のモータで駆動されるもので、前記連係手段が、当該モータの回転を各駆動手段に選択的に伝達するように切換えるものであって、前記モータの一方向の回転で、前記光ピックアップ駆動手段により前記光ピックアップが前記所定位置まで駆動た後、当該モータの同方向の回転を前記光ピックアップ駆動手段から前記スライドカムに伝達するように切換え、当該スライドカムを一方向にスライドさせて前記シャーシを前記ディスク媒体の前記ディスク媒体駆動手段への装着が解除される位置に移動させ、その後、前記モータの同方向の回転をスライドカムから前記トレイ駆動手段に伝達するように切換え、前記モータの逆方向の回転で逆の順序で各駆動手段が駆動されるように構成されていることを特徴とする請求項２または３のいずれかに記載のディスクメディア機器の位置検出装置。
【発明の詳細な説明】
【０００１】
【発明の属する技術分野】
本発明は、ＣＤ（Ｃｏｍｐａｃｔ  Ｄｉｓｋ）プレーヤ、ＤＶＤ（Ｄｉｇｉｔａｌ  Ｖｅｒｓａｔｉｌｅ  Ｄｉｓｋ）レコーダ等のメディアディスク機器の位置検出装置に関し、特にディスク媒体が収容されたトレイが筐体から最も引き出された位置に到達したことと、光ピックアップがディスク媒体の最内周に位置したことを単一のスイッチで検出するようにしたした装置に関する。
【０００２】
【従来の技術】
昨今の、メディアディスク装置においては、ＣＤ−ＲＯＭ（Ｃｏｍｐａｃｔ  Ｄｉｓｋ−Ｒｅａｄ  Ｏｎｌｙ  Ｍｅｍｏｒｙ）に対応するばかりでなく、ＣＤ−Ｒ（Ｃｏｍｐａｃｔ  Ｄｉｓｋ−Ｒｅｃｏｒｄａｂｌｅ）、ＣＤ−ＲＷ（Ｃｏｍｐａｃｔ  Ｄｉｓｋ−ＲｅＷｒｉｔｂｌｅ）、さらにはＤＶＤ（Ｄｉｇｉｔａｌ  Ｖｅｒｓａｔｉｌｅ  Ｄｉｓｋ）にも対応可能ないわゆるマルチドライブの機器が広く普及してきており、ディスクトップパソコンの外付け機器として利用されるばかりではなく、ノートパソコンの内蔵機器としても適用されるようになってきている。
【０００３】
したがって、外形寸法も可能な限り小型化、薄型化が要求されてきており、内部の機構も簡素なものとなりつつある。そのため使用される電気部品も可能な限り数を少なくする要求が強く出されている状況にある。
従来、このような機器においては、ディスク媒体が収容されたトレイを筐体内の所定位置へ搬送し、その後、ディスクを回転駆動するためのディスク駆動手段と光ピックアップが設けられたシャーシを、ディスク媒体がディスク駆動手段に装着されるように移動させ、その後、光ピックアップをディスク駆動手段で駆動されるディスクの径方向に移動させて信号の読み取りを行なうように構成されている。
【０００４】
また、ディスク媒体を取り出す際には、まず、光ピックアップをディスク媒体の最内周に位置するように移動させ、次に、シャーシを、ディスク媒体のディスク駆動手段への装着が解除されるように移動させ、それからトレイを筐体から引き出すように動作する。
【０００５】
光ピックアップが所定位置にない状態で、トレイやシャーシを移動すると光ピックアップに機械的なダメージが加えられることがあり、故障の原因になる。また、シャーシがディスクの装着を解除する位置に移動しないうちにトレイを引き出す方向に駆動すると、トレイやディスク媒体が破損するかあるいはディスク駆動手段が故障してしまうという事故につながる。同様にトレイが引き出されている状態で、シャーシをディスクを装着する方向に移動させてディスク駆動手段を起動するとディスク駆動手段が故障してしまう。
【０００６】
このため、このような機器においては、光ピックアップの位置とトレイの位置を検出するスイッチが設けられている。
これらのスイッチは、トレイが引出し完了位置に移動したことの検出用、光ピックアップがディスク媒体の内周に位置したことの検出用等いくつかの位置を検出する目的で設けられるが、それぞれの位置検出用に個別にスイッチを設けると、それだけ部品が増えて機器を小型化するという目的の妨げとなる。
【０００７】
そこで、複数の位置の検出を１個のスイッチで兼用するという試みもなされている。
例えば、特許文献１には、トレイの排出完了点とディスククランプ完了点を１個の検出スイッチで検出するようにした提案が示されている。
しかしながら、この特許文献に示された技術は、スイッチとして２接点型スイッチが必要であり、またこのスイッチを押圧駆動するスイッチ操作部が、イマージェンシーレバーに設けられるために機構が大掛かりとなって、小型化を実現するという面で充分であるとはいい難かった。
【０００８】
【特許文献１】
特開平１０−１１２１１８号公報（第５頁［００２３］〜［００３０］、図３，６）
【０００９】
【発明が解決しようとする課題】
以上のように、従来の装置においては、１個の検出スイッチで複数の状態を検出しようとした場合、スイッチとして特殊な仕様のものが必要であったり、スイッチを押圧駆動する操作部が大掛かりな構成のものとなり、小型化を実現させるという点で充分であるとはいい難かった。
【００１０】
本発明は、以上の点に対処してなされたものであり、トレイの引き出し完了位置と、光ピックアップがディスクの内周に位置したことの検出を、単一の通常のスイッチでかつ簡単なスイッチ駆動手段によって行うことができるようにしたメディアディスク機器の位置検出装置を提供することを目的とする。
【００１１】
【課題を解決するための手段】
本発明のディスクメディア機器の位置検出装置は、ディスク媒体が収容可能なディスク媒体収容部を有したトレイを、筐体から引き出された第１の位置と、前記筐体内の所定位置である第２の位置間で搬送移動させるトレイ駆動手段と、シャーシと、前記シャーシに設けられ、前記ディスク媒体を回転駆動させるディスク媒体駆動手段と、前記シャーシに設けられ、前記ディスク媒体駆動手段で駆動されるディスク媒体から信号の読み取りを行なう光ピックアップを前記ディスクの径方向に移動させる光ピックアップ駆動手段と、動作状態が切換えられるスイッチ手段と、前記筐体に設けられ、所定方向にスライドするスライドカムを備え、当該スライドカムのスライドによって前記シャーシを、前記トレイによって前記筐体内の前記第２の位置に搬送されたディスク媒体を前記ディスク媒体駆動手段に装着する位置と、装着が解除される位置間で昇降させるシャーシ駆動手段と、前記光ピックアップが所定位置に位置されたことによって前記スイッチ手段の動作状態を切換ると共に、前記トレイが前記第１の位置に位置したときに前記スイッチ手段の動作状態を切換えるスイッチ駆動手段と、を具備したことを特徴とする。
【００１２】
本発明によれば、通常の一つスイッチで、かつ簡単なスイッチ駆動手段によってトレイの引き出し完了位置と、光ピックアップのディスク媒体内周到達位置を検出することができるものである。
【００１３】
【発明の実施の形態】
以下、図面を参照しながら本発明の実施の形態を詳細に説明する。
図１は本発明の位置検出装置が搭載されたディスクメディア機器１０を上方から見た平面図であり、図２は同じく側面図、図３は図１の機器を裏側から見た裏面図である。
図において、１１はベース体であり、樹脂によって成形され、天板部１１ａと一対の側板部１１ｂ，１１ｂと底板部１１ｃ及び底板部１１ｃの前方（図中左方向）において側板部１１ｂ，１１ｂを連結するようにさらに下方に延設された前板部１１ｄを有している。側板１１ｂ，１１ｂ間が金属製の連結板１２で連結され、連結板１２の中間部において、後述するターンテーブルに装着されたディスク媒体をクランプするためのクランプ部材１３が弾性を有する取り付け片１４によって取り付けられている。クランプ部材１３は、ベース体１１の天板部１１ａに設けられた開口からベース体１１内方に位置するように弾性偏倚されている。なお、ベース体１１は、通常は図示しない機器本体の筐体内部に収容されるものであるが、ここでは、ベース体１１も筐体として扱うことにする。
【００１４】
１５はトレイであり、ディスク媒体が収容される収容部１５ａが設けられ、ベース体１１の底板１１ｃ上に、ベース体１１に収容された状態（図１，２，３に示す状態で請求項の第２の位置に相当）とベース体１１から引き出された状態との間で移動自在に保持されている。ベース体１１の両側板部１１ｂ，１１ｂの内面には、突起１１ｅ，１１ｅが設けられ、トレイ１５のベース体１１天板１１ａ方向の位置を規制している。
【００１５】
図３に示すようにベース体１１の底板部１１ｃに、光ピックアップを搭載した平面形状略長方形のシャーシ１７が、その一方の短辺の両端に設けられた突起１７ａ，１７ａを支点にして揺動自在に支持されている。シャーシ１７の他方の短辺の中間部には、後に詳述するスライドカムを有する昇降機構に結合するボス１７ｂが設けられており、昇降機構によって、シャーシ１７はそのボス１７ｂが設けられた辺がベース体１１に対して昇降するように駆動される。
【００１６】
図２に示すようにトレイ１５がベース体１１に収容されている状態では、シャーシ１７は、ディスク媒体駆動手段のターンテーブルにディスク媒体を装着可能となるように、昇降機構によって駆動される辺が上昇している。
図３において、１８は駆動モータであり、シャーシ１７に固定されている。この駆動モータ１８には、その回転軸にウォーム歯車１９が設けられ、さらにこのウォーム歯車１９に噛合するウォームホイール２０を介して後述する光ピックアップ、トレイ１５、シャーシ１７の駆動が行なわれる。
【００１７】
さらに、それら光ピックアップ、トレイ１５、シャーシ１７の駆動状態を検出するめたの後述するスイッチが設けらおり、このスイッチの操作子を駆動する駆動部材２１が軸２２によって回動自在に設けられている。駆動部材２１は、引っ張りバネ２３によって図中反時計方向に回動するように付勢されている。
【００１８】
図４は、トレイ１５をベース体１１から引き出した状態を図１と同様の方向から見た平面図である。同様に図５は、図２と対応するトレイ１５が引き出された状態を示す側面図である。図４，５に示すトレイ１５の位置が請求項の第１の位置に相当する。
【００１９】
図５に示すように、トレイ１５がベース体１１から引き出されている状態においては、シャーシ１７は、昇降機構によって駆動される側が下降している。
図６は、シャーシ１７を図１の方向から見た平面図である。
図６において、２４はターンテーブルであり、シャーシ１７に固定された図示しないディスク媒体駆動モータの回転軸に固定されている。さらにシャーシ１７には、光ピックアップ２５が設けられている。光ピックアップ２５は、レーザダイオード及びフォトダイオードを備えた光ピックアップヘッド２６と、この光ピックアップヘッド２６が取り付けられた印刷配線基板２７と、この印刷配線基板２７が固定されたホルダ２８を有している。
【００２０】
光ピックアップ２５は、シャーシ１７に取り付けられた２本のガイドシャフト２９、３０によって、ターンテーブル２４に接近する方向とターンテーブル２４から離れる方向に摺動自在に支持されている。この目的のためにホルダ２８に、ガイドシャフト２９，３０に摺動自在に係合される保持部材３１，３２が設けられ、光ピックアップ２５はこの保持部材３１，３２によってガイドシャフト２９，３０に摺動自在に支持されている。
【００２１】
ガイドシャフト２９，３０は、支持部材３３，３４，３５，３６によってシャーシ１７に対して支持されており、４個の支持部材３３〜３６のうちの例えば３個（３３，３４，３６）については、ガイドシャフト２９，３０とシャーシ１７の面との距離を調整可能な調整機構が設けられており、その調整により、いわゆる光ピックアップ２５のチルト調整が実行される。
【００２２】
ガイドシャフト３０に係合する保持部材３２は、ガイドシャフト３０の軸方向に所定距離をおいて、２個設けられており、この保持部材３２を囲むように形成されたラック部材３７が光ピックアップ２５のホルダ２８に固定されている。ラック部材３７には、光ピックアップ２５とは反対側の辺にラック３８が形成されており、このラック３８にはウォームホイール２０と同軸に形成されたピニオン歯車３９が噛合している。これによって駆動モータ１８が回転することでその回転がラック３８に伝達され、光ピックアップ２５は、ガイドシャフト２９，３０に保持されつつ駆動モータ１８の回転の方向に応じた方向に移送される。また、ラック部材３７には、ガイドシャフト３０の軸方向先端にスライドカム４０を駆動するカム駆動部４１が形成されている。
【００２３】
図６において、スライドカム４０は、シャーシ１７から所定距離をおいて配置されて、シャーシ１７のボス１７ｂが厚み方向に貫通する板状体として示されているが、実際には、ベース体１１の前面板部１１ｄの内面にトレイ１５の引出し方向前方から見て、左右方向（図６では、上下方向）にスライド自在に支持されている。
【００２４】
図７に示すように、スライドカム４０には、シャーシ１７のボス１７ｂが貫通するカム溝４０ａが設けられていると共に、ラック部材３７のカム駆動部４１によって駆動されるカム面４０ｂと、逆にカム駆動部４１を駆動するカム面４０ｃを有した溝４０ｄが形成され、さらにスライド方向への駆動力を受けてスライドするためのラック４０ｅと、トレイ１５がベース体１１から完全に引き出された状態において、後述する検出スイッチ駆動部材２１の突部が挿入される溝４０ｆおよび光ピックアップ２５がディスク媒体の内周に位置した際に、検出スイッチ駆動部材２１の突部が挿入可能な溝４０ｇが設けられている。ラック４０ｅが形成された辺の中間部にトレイ１５を駆動するトレイ駆動部４２が形成されている。トレイ駆動部４２は、突起部４２ａとピン４２ｂで構成されている。なお、図７（ａ）はスライドカム４０を上面から見た図、図７（ｂ）は図６の右方向から見た図、図７（ｃ）は下面から見た図である。
【００２５】
スライドカム４０は、まずラック部材３７のカム駆動部４１によって図７の左方向にスライドさせられることで、ラック４０ｅが後述する切欠き歯車を駆動させ、切欠き歯車が駆動モータ１８の回転を伝達する歯車と噛合することで回転駆動されて、スライドカム４０が、さらにスライド駆動され、それによってカム溝４０ａにボス１７ｂが貫通しているシャーシ１７を昇降させるように動作する。
【００２６】
なお、図６において、光ピックアップヘッド２５が取り付けられた印刷配線基板２７には、コネクタ４３が設けられていると共に、コネクタ４３にケーブル４４が結合されており光ピックアップヘッド２５との信号のやりとりが実行される。
図８，９は、光ピックアップ２５とラック部材３７のみを取り出して示す図であり、図８は図１と同じ方向から見た平面図図、図９は裏面図である。
図８、９において、ラック部材３７は、ラック支持部３７ａと、このラック支持部３７ａに対して、ラック３８が形成されたラック片３７ｂが長手方向及び長手方向と交わる方向に所定距離移動自在に係合され、さらに、ラック支持部３７ａとラック片３７ｂ間にラック３８をこのラック３８と噛合するピニオン歯車３９方向に付勢して、バックラッシを抑制する付勢手段が設けられている。付勢手段はラック支持部３７ａとラック片３７ｂ間に懸架された引っ張りバネ３７ｃ（図９）を含む。また、ラック片３７ｂには、位置検出スイッチの駆動部材２１を駆動するカム部３７ｄが形成されている。
【００２７】
次に、駆動モータ１８によって、各駆動手段が順次駆動される動作につき説明する。
図１０は、光ピックアップ２５が、ターンテーブル２４に装着されるディスク媒体の最も内周の位置より外周側に位置している状態を示すもので、裏面側から見た図である。また、図１１は、光ピックアップ２５がディスク媒体の最も内周の位置にある状態を示し、これは図６に示す状態と同一で、同じく裏面から見た状態を示している。
【００２８】
光ピックアップ２５が図１０と図１１に示す位置の間にある状態においては、駆動モータ１８は、光ピックアップ２５のラック３８に噛合するピニオン歯車３９によって、もっぱら光ピックアップ２５をガイドシャフト２９，３０に沿って移動させるいわゆる光ピックアップ２５の駆動のみを実行する。
【００２９】
さて、図１０において、スイッチ駆動部材２１は、付勢部材２３によって反時計方向に回動するように付勢されているため、検出スイッチ４５の操作子がスイッチ駆動部材２１によって押され、検出スイッチ４５はオン状態にある。なお、スイッチ駆動部材２１には、ピン２１ａと突部２１ｂが形成されており、それぞれ、後述するようにラック部材３７ｂ及びスライド部材４０によって駆動される。
【００３０】
駆動モータ１８の回転によって、光ピックアップ２５がターンテーブル２４に近付き、ディスク媒体の最も内周の位置に到達すると、図１１に示すように、ラック部材３７のカム駆動部４１は、その先端がカムスライダ４０の溝４０ｃ中に位置するようになるがこの状態では、カム駆動部４１はカム面４０ｂに当接することなくカムスライダ４０を駆動するに至らない。このとき、検出スイッチ駆動部材２１のピン２１ａが、ラック片３７ｂのカム部３７ｄに当接して検出スイッチ駆動部材２１は、付勢部材２３（図１０，１１では省略、図３参照）の弾性力に抗して時計方向に回動するため、検出スイッチ４５はオフ状態に切換えられる。これによって光ピックアップ２５がディスク媒体の最も内周の位置にあることが検出される。
【００３１】
図１１において、ピニオン歯車３９はラック部材３７のラック３８と噛合して駆動モータ１８からの回転力を光ピックアップ２５に伝達しているが、ここでピニオン歯車３９について図１２に基づきさらに詳細に説明する。
ピニオン歯車３９は、ウォームホイール２０と同軸に形成され、さらに径の大きな歯車４６も同軸に形成されている。ピニオン歯車３９と歯車４６は、ウォームホイール２０とは別体で一体成形され、ウォームホイール２０にクラッチ機構４７を介して組み込まれている。クラッチ機構４７は、ウォームホイール２０に、ピニオン歯車３９及び歯車４６が形成された部材４８を組み込んだ後、リング状のスプリング４７ａをウォームホイール２０と部材４８との間に嵌着することで、ウォームホイール２０と部材４８間に所定の摩擦力を生成せしめ、クラッチ機構４７として機能させる。スプリング４７ａを支持するために、ウォームホイール２０には突部２０ａが形成され、部材４８には、組み込む際に突部２０ａを避けるための切欠き４８ａが設けられている。なお、図１２（ａ）はウォームホイール２０と部材４８をピニオン歯車３９方向から見た図で、図１２（ｂ）は図１２（ａ）の軸方向断面図である。
【００３２】
図１１に戻って、歯車４６は歯車４９と噛合されている。なお、歯車４６と歯車４９は図では省略しているが全周に亘って歯が形成されている。歯車５０は歯車４９と噛合可能な位置に配置されており、歯車５０が回転することで歯車４９と噛合するようになる。歯車４６，４９は、シャーシ１７に設けられ、シャーシ１７が昇降することで一緒に昇降するが、歯車５０は、ベース体１１の前面板部１１ｄに設けた支持部１１ｆ（図３参照）に回転自在に支持されている。
【００３３】
図１３に歯車５０の詳細な構成を示す。歯車５０は軸方向に３段に一体に構成された複合歯車の中間部に位置する歯車であり、歯が全周に亘って形成されておらず一部欠如されている。軸方向の一端には、大径の歯車５１が形成され、他端には歯車５２が形成されている。歯車５１は後述するトレイのラックを駆動する歯車であり、トレイのラックに噛合可能な歯車と噛合している。歯車５０は、シャーシ１７が上昇している状態において、スライドカム４０がスライドしてラック４０ｅと噛合して回転することで歯車４９と噛合する。歯車５２は、シャーシ１７が下降している状態で歯車４９と噛合するように構成されている。なお、図１３（ａ）は、歯車５０，５１，５２の全体を側面から見た図。図１３（ｂ）は歯車５０を軸方向から見た平面図。図１３（ｃ）は全体を歯車５２の軸方向から見た図である。
【００３４】
光ピックアップ２５が、駆動モータ１８の回転によって、図１０に示す位置と図１１に示す位置の間で駆動される状態においては、歯車４６、４９は駆動されるが、歯車５０は、その歯が歯車４９と噛合されておらず、回転していない。図１１に示す状態からさらに駆動モータ１８が光ピックアップ２５をターンテーブル２４に近付ける方向に回転すると、光ピックアップ２５は移動せず、ラック片３７ｂのみが移動してその先端のカム駆動部４１によって、スライドカム４０が駆動され図示左方向にスライドする。
【００３５】
この状態を図１４に示す。この状態では、スライドカム４０のラック４０ｅと歯車５０が噛合して歯車５０が回転し、それによって歯車５０が歯車４９と噛合し、駆動モータ１８の回転が伝達されて、スライドカム４０がさらに図示左方向にスライドされる。図１４の状態では、検出スイッチ駆動部材２１は、ラック片３７ｂのカム部３７ｄによって引き続き駆動されており、検出スイッチ４５はオフのままである。
【００３６】
その後、スライドカム４０が引き続きスライド駆動されることにより、ラック片３７ｂのカム駆動部４１が、スライドカム４０のカム面４０ｃに駆動されて、ラック片３７ａがさらにスライドカム４０の厚み方向に移動させられて、その先端がスライドカム４０の裏面に係止されることになる。
【００３７】
この状態を図１５に示す。図に示すように、ラック３８とピニオン歯車３９との噛合が解かれ、ラック片３７ｂは駆動されなくなる。さらにスライドカム４０のスライドによって、シャーシ１７は、そのボス１７ｂがスライドカム４０のカム溝４０ａによって下降する方向の力を受けて下降することになる。
【００３８】
シャーシ１７が下降されるにしたがって、歯車４９と噛合する歯車が５０から５２に切換るが、歯車５０は歯車５２と同軸であるので歯車５０も歯車５２と同様に回転する。歯車５０とラック４０ｅが噛合しているスライドカム４０は、シャーシ１７が下降されることで、後述する駆動モータ１８の回転が伝達されるように切換えられるトレイ１５のカム部で図中左方向にスライドされ、スライドカム４０のラック４０ｅと歯車５０の噛合が解かれ、スライドカム４０は、駆動モータ１８によっては、もはや駆動されなくなる。図１６はその状態を示すものであるが歯車５０は図示していない。
【００３９】
スライドカム４０は、後述するトレイ１５のカム部によって、トレイ１５がその引出しを完了する位置で、さらに図示左方向に駆動され、最終的に図１７に示すような状態になる。
なお、図１５，１６においては、スイッチ駆動部材２１は、そのピン２１ａがラック部材３７ｂのカム部３７ｄから離れるが、突部２１ｂがスライドカム４０に当接して、依然として時計方向に回動したままの状態を保ち、検出スイッチ４５はオフのままである。
【００４０】
また、図１７においては、スイッチ駆動部材２１は、その突部２１ｂがスライドカム４０の溝４０ｆに入り、スイッチ駆動部材２１が図中反時計方向に回動するため検出スイッチ４５はオンに切換わる。
スライドカム４０のスライドによってシャーシ１７の下降が完了するのと略同時にトレイ１５も歯車５１（図１３参照）によって駆動されるべく、スライドカム４０によって移動される。
トレイ１５の駆動動作について、図１８〜２１を参照して説明する。
図１８は、スライドカム４０とラック片３７ｂの関係が図１１に示す状態にある場合を示すものである。図１８において、トレイ１５のラック５３を直接駆動する歯車５４が設けられ歯車５１と常時噛合している。また、歯車５０が歯車４９と噛合していない状態にある（図１１参照）ため、歯車５１も回転駆動されることなく、よって歯車５４も回転せず、トレイ１５のラック５３も駆動されないためトレイ１５は、ベース体１１内に収容されたままである。また、この状態において、スライドカム４０のトレイ駆動部４２の突起部４２ａとピン４２ｂが、トレイ１５のカム突部１６を跨ぐように配設される。カム突部１６はトレイ１５の幅方向に延びる部位１６ａと、第１のカム部１６ｂとトレイ１５の駆動方向に延びる部位１６ｃとトレイ１５の端部において形成された第２のカム部１６ｄとが連続的に形成されるようにトレイ１５と一体的に成形されている。
【００４１】
次に、前述のようにスライドカム４０がスライドすると、スライドカム４０のトレイ駆動部４２の突起部４２ａが、トレイ１５の第１のカム部１６ｂに当接してトレイ１５をベース体１１から引き出す方向に駆動する。これによって、歯車５４がトレイ１５のラック５３に噛合するようになる。この状態を図１９に示す。このときの歯車４９と歯車５０の関係は図１５に示す状態と同一であり、両者が噛合するため、駆動モータ１８の回転力が歯車４９、５０を介して歯車５１に伝達されて歯車５４が回転駆動され、それがトレイ１５のラック５３に伝達されてトレイ１５がベース体１１から引き出される方向（図中下方向）に駆動される。
【００４２】
さらにスライドカム３８がスライド駆動され、図１６に示すようにシャーシ１７が下降されると、図２０に示すように、歯車４９が歯車５２と噛合するようになり、引き続き、駆動モータ１８の回転によってトレイ１５が引き出されていく。このとき、スライドカム４０のトレイ駆動部４２の突起部４２ａとピン４２ｂは、トレイ１５のカム突部１６の部位１６ｃに沿う状態にある。
【００４３】
トレイ１５が最も引き出された状態を図２１に示し、この状態は図１７の状態と同じである。図２１においては、トレイ１５の駆動によってスライドカム４０のトレイ駆動部４２のピン４２ｂがトレイ１５のカム突部１６の第２のカム部１６ｄに当接して、スライドカム４０がさらに図示左方向にスライドした状態である。このスライドカム４０のスライドによって、スイッチ駆動部材２１の突部２１ｂがスライドカム４０の溝４０ｆに位置するようになり、スイッチ駆動部材２１が反時計方向に回動するため、検出スイッチ４５が再びオンとなって、トレイ１５がベース体１１から完全に引き出されたことが検出される。
【００４４】
以上述べた、光ピックアップ２５の駆動、シャーシ１７の駆動、トレイ１５の駆動は、駆動モータ１８の一方向の回転によってシーケンシャルに連続して実行される。また、図１７，２１に示す状態から、駆動モータ１８を逆方向に回転させることによって、逆に、トレイ１５のベース体１１への収容、シャーシ１７の上昇、光ピックアップ２５のディスク媒体径方向への駆動が実行されるものである。
【００４５】
トレイ１５が、その引き出された位置からベース１１に収容される方向に駆動された際に、トレイ１５の第２のカム部１６ｄによってスライドカム４０のトレイ駆動部４２の突部４２ａが押されてスライドカム４０が図２０の右方向にスライドする。これによって、スイッチ駆動部材２１の突部２１ｂが、スライドカム４０の溝４０ｆから脱してスライドカム４０の内壁に当接するようになり、スイッチ駆動部材２１が時計方向に回動するため検出スイッチ４５はオフとなる。
【００４６】
トレイ１５が図１９に示す位置まで、ベース体１１に収容された際には、スライドカム４０のトレイ駆動部４２の突部４２ａがトレイ１５のカム部１６ｂに当接し、トレイ１５がベース体１１に収容されることでスライドカム４０のラック４０ｅと歯車５０が噛合して、スライドカム４０が駆動モータ１８の駆動力を受けて、さらに右方向にスライドする。これによって、トレイ１５はそのカム部１６ｂがスライドカム４０のトレイ駆動部４２のピン４２ｂによって、さらにベース体１１に収容される方向に駆動されることで、図１８に示すようにトレイ１５のラック５３と歯車５４の噛合が解除されトレイ１５はもはや駆動されなくなる。
【００４７】
スライドカム４０の図中右方向のスライドによって、シャーシ１７が上昇していき、歯車４９と噛合する歯車が、５２から再び５０に切換えられる。また、図１５ではピニオン歯車３９とラック３８は噛合していないが、スライドカム４０の図中右方向のスライドによって、図１４に示すようにラック片３７ｂのカム駆動部４１がスライドカム４０のカム面４０ｃに引き込まれることによって、ラック片３７ｂが図中上方に移動し、ラック３８がピニオン歯車３９と噛合するようになる。さらに駆動モータ１８の回転によってピニオン歯車３９が回転することによって、スライドカム４０は図１４に示す状態から図１１に示す状態までカム駆動部４１に駆動されてスライドし、それによって、歯車５０が回転し、歯車４９と噛合しない状態になる。
【００４８】
図１５から図１４に示す状態までは、スイッチ駆動部材２１の突部２１ｂは、スライドカム４０の内面壁に当接したままであり、かつスイッチ駆動部２１のピン２１ａはラック片３７ｂのカム部３７ｄに当接した状態となり、検出スイッチ４５はオフのままである。また、図１４から図１１の移行によってスイッチ駆動部材２１の突部２１ｂは、スライドカム４０の溝４０ｇに対応した位置になるが、ピン２１ａがカム部３７ｄに当接しているので検出スイッチはオフのままである。
【００４９】
光ピックアップが、図１１に示す位置から図１０に示す方向に駆動されることで、スイッチ駆動部材２１のピン２ａがラック片３７ｂのカム部３７ｄから離れると共に、突部２１ｂがスライドカム４０の溝４０ｇ内に位置するようになるため、スイッチ駆動部材２１が反時計方向に回動して、検出スイッチ４５をオンさせる。
【００５０】
以上述べたように、本発明のメディアディスク機器の位置検出装置によれば、光ピックアップ２５がディスク媒体の内周に位置したことを、光ピックアップ２５に設けられ光ピックアップと共に移動するラック部材によって検出スイッチ駆動部材２１を駆動することで検出スイッチ４５の動作状態を切換え、その後、そのスイッチ４５の動作状態を、光ピックアップ２５の駆動手段とディスク媒体の駆動手段が設けられたシャーシ１７をスライドすることで昇降させるカムスライダ４０で保持し、さらにトレイ１５が引き出し完了位置まで引き出された際に、カムスライダを、シャーシを下降させる方向にさらにスライドさせる手段によって、検出スイッチ４５とカムスライダ４０の係合状態を開放して、検出スイッチ４５を他の動作状態に切換えるように構成したものであり、特殊な仕様の検出スイッチを必要とせず、簡単な構成で１個のスイッチでトレイの引き出し完了位置と、光ピックアップのディスク媒体内周位置とを確実に検出できるようになるものである。
【００５１】
【発明の効果】
以上のように、本発明によれば、光ピックアップ駆動手段、シャーシ駆動手段、トレイ駆動手段を連係させてシーケンシャルな動作を行なわせるためのスライドカムによって、光ピックアップがディスク媒体の内周に到達してから、トレイの引出しが完了するまで、検出スイッチを一方の動作状態に保持し、トレイの引出しが完了した際に、スライドカムとスイッチ駆動部材の係合を解除して検出スイッチを他方の状態に切換えるようにしたので、簡単な構造で１スイッチによる検出が可能となり、装置の小型化を実現することができるものである。
【図面の簡単な説明】
【図１】本発明に係る、メディアディスク機器の位置検出装置の一動作状態を示す平面図。
【図２】図１に示す機器を側面から見た側面図。
【図３】図１に示す機器を裏面から見た裏面図。
【図４】図１に示す装置の他の動作状態を示す平面図。
【図５】図５に示す機器を側面から見た側面図。
【図６】本発明の要部の構成を説明するための平面図。
【図７】本発明の他の要部の構成を説明するための図。
【図８】本発明の他の要部の構成を説明するための図。
【図９】図８に示す要部を裏面から見た状態を示す図。
【図１０】本発明の動作状態を説明するための図。
【図１１】本発明の他の動作状態を説明するための図。
【図１２】本発明の他の要部の構成を説明するための図。
【図１３】本発明の他の要部の構成を説明するための図。
【図１４】本発明の他の動作状態を説明するための図。
【図１５】本発明の他の動作状態を説明するための図。
【図１６】本発明の要部の動作状態を説明するための図。
【図１７】本発明の要部の動作状態を説明するための図。
【図１８】本発明の要部の他の動作状態を説明するための図。
【図１９】本発明の要部の他の動作状態を説明するための図。
【図２０】本発明の要部の他の動作状態を説明するための図。
【図２１】本発明の要部の他の動作状態を説明するための図。
【符号の説明】
１１…ベース体
１５…トレイ
１６…カム突部
１７…シャーシ
１８…駆動モータ
１９…ウォーム
２０…ウォームホイール
２１…スイッチ駆動部材
２４…ターンテーブル
２５…光ピックアップ
３７…ラック部材
３８…ラック
３９…ピニオン歯車
４０…スライドカム
４１…カム駆動部
４５…検出スイッチ
【図１】
2004178767.tif 000003
【図２】
2004178767.tif 000004
【図３】
2004178767.tif 000005
【図４】
2004178767.tif 000006
【図５】
2004178767.tif 000007
【図６】
2004178767.tif 000008
【図７】
2004178767.tif 000009
【図８】
2004178767.tif 000010
【図９】
2004178767.tif 000011
【図１０】
2004178767.tif 000012
【図１１】
2004178767.tif 000013
【図１２】
2004178767.tif 000014
【図１３】
2004178767.tif 000015
【図１４】
2004178767.tif 000016
【図１５】
2004178767.tif 000017
【図１６】
2004178767.tif 000018
【図１７】
2004178767.tif 000019
【図１８】
2004178767.tif 000020
【図１９】
2004178767.tif 000021
【図２０】
2004178767.tif 000022
【図２１】
2004178767.tif 000023